(57)【要約】【課題】時間的に連続した複数の画像をユーザの意図通り失敗せずに撮影する。【解決手段】レンズ光学系12，ＣＣＤ13を含む撮影系と、この撮影系で撮影した画像を記録するメモリカード28と、撮影系で時間的に連続して撮影する画像の変化量を設定するキー入力部29と、撮影系で時間的に連続して撮影される画像を比較し、その変化量を算出し、算出した変化量と上記設定した変化量との比較結果により撮影系で撮影された画像のメモリカード28への記録を制御する制御部22とを備える。【選択図】      図１
2005303807.tif 000002
【特許請求の範囲】
【請求項１】
撮影手段と、
この撮影手段で撮影した画像を記録する記録手段と、
上記撮影手段で時間的に連続して撮影する画像の変化量を設定する変化量設定手段と、
上記撮影手段で時間的に連続して撮影される画像を比較し、その変化量を算出する変化量算出手段と、
この変化量算出手段で得た変化量と上記変化量設定手段で設定した変化量との比較結果により上記撮影手段で撮影された画像の上記記録手段への記録を制御する記録制御手段と
を具備したことを特徴とする撮影装置。
【請求項２】
上記撮影手段が時間的に連続して画像を撮影する最低時間間隔を設定する時間間隔設定手段をさらに具備したことを特徴とする請求項１記載の撮影装置。
【請求項３】
時間的に連続して画像を撮影する時間間隔を設定する時間間隔設定手段と、
この時間間隔設定手段で設定した時間間隔にしたがって画像を撮影する撮影手段と、
この撮影手段で撮影した画像を記録する記録手段と、
上記記録手段に記録された時間的に連続した画像を比較し、その変化量を算出する変化量算出手段と、
上記記録手段の空き容量を算出する残量検出手段と、
この残量検出手段で上記記録手段が所定の空き容量となったことを検出すると、上記変化量算出手段で記録手段に記録された一連の画像中から最も変化量の少ないものを選択し、削除する削除制御手段と
を具備したことを特徴とする撮影装置。
【請求項４】
上記撮影手段で時間的に連続する画像の撮影の終了を設定する終了設定手段をさらに具備したことを特徴とする請求項３記載の撮影装置。
【請求項５】
上記終了設定手段は、上記撮影手段が撮影を開始してから終了するまでの総撮影時間を設定することを特徴とする請求項４記載の撮影装置。
【請求項６】
上記終了設定手段は、上記撮影手段が撮影を開始してから終了するまでの総撮影画像数を設定することを特徴とする請求項４記載の撮影装置。
【請求項７】
画像を撮影して記録する撮影装置での撮影方法であって、
時間的に連続して撮影する画像の変化量を設定する変化量設定工程と、
時間的に連続して撮影される画像を比較し、その変化量を算出する変化量算出工程と、
この変化量算出工程で得た変化量と上記変化量設定工程で設定した変化量との比較結果により撮影された画像の記録を制御する記録制御工程と
を有したことを特徴とする撮影方法。
【請求項８】
画像を撮影して媒体に記録する撮影装置での撮影方法であって、
時間的に連続して画像を撮影する時間間隔を設定する時間間隔設定工程と、
この時間間隔設定工程で設定した時間間隔で撮影され、上記媒体に記録された、時間的に連続した画像を比較し、その変化量を算出する変化量算出工程と、
上記媒体の空き容量を算出する残量検出工程と、
この残量検出工程で上記媒体が所定の空き容量となったことを検出すると、上記変化量算出工程で媒体に記録された一連の画像中から最も変化量の少ないものを選択し、削除する削除制御工程と
を有したことを特徴とする撮影方法。
【請求項９】
画像を撮影して媒体に記録する撮影装置に内蔵されたコンピュータが実行するプログラムであって、
時間的に連続して撮影する画像の変化量を設定する変化量設定ステップと、
時間的に連続して撮影される画像を比較し、その変化量を算出する変化量算出ステップと、
この変化量算出ステップで得た変化量と上記変化量設定ステップで設定した変化量との比較結果により撮影された画像の記録を制御する記録制御ステップと
をコンピュータに実行させることを特徴とするプログラム。
【請求項１０】
画像を撮影して媒体に記録する撮影装置に内蔵されたコンピュータが実行するプログラムであって、
時間的に連続して画像を撮影する時間間隔を設定する時間間隔設定ステップと、
この時間間隔設定ステップで設定した時間間隔で撮影され、上記媒体に記録された、時間的に連続した画像を比較し、その変化量を算出する変化量算出ステップと、
上記媒体の空き容量を算出する残量検出ステップと、
この残量検出ステップで上記媒体が所定の空き容量となったことを検出すると、上記変化量算出ステップで媒体に記録された一連の画像中から最も変化量の少ないものを選択し、削除する削除制御ステップと
をコンピュータに実行させることを特徴とするプログラム。
【発明の詳細な説明】
【技術分野】
【０００１】
本発明は、特にインターバル撮影機能を備えたデジタルスチルカメラ等に好適な撮影装置、撮影方法及びプログラムに関する。
【背景技術】
【０００２】
従来より、デジタルスチルカメラで、インターバル時間を予め設定しておくことで、その設定した時間間隔で自動的に連続して撮影を実行するインターバル撮影機能を有したものが考えられている。（例えば、特許文献１）
このインターバル撮影機能では、カメラを三脚等に固定した上で、数［秒］乃至１時間程度のインターバル時間をユーザが任意に設定することにより、被写体となる花の開花や昆虫の羽化の様子、星の軌跡等を自動的に撮影することができるものである。
【特許文献１】特開２００２−３６９０７０号公報
【発明の開示】
【発明が解決しようとする課題】
【０００３】
上述した如く、インターバル時間はユーザが予め被写体の時間的な変化の度合いを想定して任意に設定しておくものであり、必ずしも実際の被写体が設定通りの時間的な変化を示すものではない。
【０００４】
そのため、例えば花の開花の様子を撮影しようとした結果、蕾のままの画像のみが多数撮影され、開花の途中の様子が全く撮影されない、というような事態も充分起こり得る。
【０００５】
本発明は上記のような実情に鑑みてなされたもので、その目的とするところは、インターバル撮影機能に代表される時間的に連続した複数の画像をユーザの意図に合わせて失敗することなく撮影することが可能な撮影装置、撮影方法及びプログラムを提供することにある。
【課題を解決するための手段】
【０００６】
請求項１記載の発明は、撮影手段と、この撮影手段で撮影した画像を記録する記録手段と、上記撮影手段で時間的に連続して撮影する画像の変化量を設定する変化量設定手段と、上記撮影手段で時間的に連続して撮影される画像を比較し、その変化量を算出する変化量算出手段と、この変化量算出手段で得た変化量と上記変化量設定手段で設定した変化量との比較結果により上記撮影手段で撮影された画像の上記記録手段への記録を制御する記録制御手段とを具備したことを特徴とする。
【０００７】
請求項２記載の発明は、上記請求項１記載の発明において、上記撮影手段が時間的に連続して画像を撮影する最低時間間隔を設定する時間間隔設定手段をさらに具備したことを特徴とする。
【０００８】
請求項３記載の発明は、時間的に連続して画像を撮影する時間間隔を設定する時間間隔設定手段と、この時間間隔設定手段で設定した時間間隔にしたがって画像を撮影する撮影手段と、この撮影手段で撮影した画像を記録する記録手段と、上記記録手段に記録された時間的に連続した画像を比較し、その変化量を算出する変化量算出手段と、上記記録手段の空き容量を算出する残量検出手段と、この残量検出手段で上記記録手段が所定の空き容量となったことを検出すると、上記変化量算出手段で記録手段に記録された一連の画像中から最も変化量の少ないものを選択し、削除する削除制御手段とを具備したことを特徴とする。
【０００９】
請求項４記載の発明は、上記請求項３記載の発明において、上記撮影手段で時間的に連続する画像の撮影の終了を設定する終了設定手段をさらに具備したことを特徴とする。
【００１０】
請求項５記載の発明は、上記請求項４記載の発明において、上記終了設定手段は、上記撮影手段が撮影を開始してから終了するまでの総撮影時間を設定することを特徴とする。
【００１１】
請求項６記載の発明は、上記請求項４記載の発明において、上記終了設定手段は、上記撮影手段が撮影を開始してから終了するまでの総撮影画像数を設定することを特徴とする。
【００１２】
請求項７記載の発明は、画像を撮影して記録する撮影装置での撮影方法であって、時間的に連続して撮影する画像の変化量を設定する変化量設定工程と、時間的に連続して撮影される画像を比較し、その変化量を算出する変化量算出工程と、この変化量算出工程で得た変化量と上記変化量設定工程で設定した変化量との比較結果により撮影された画像の記録を制御する記録制御工程とを有したことを特徴とする。
【００１３】
請求項８記載の発明は、画像を撮影して媒体に記録する撮影装置での撮影方法であって、時間的に連続して画像を撮影する時間間隔を設定する時間間隔設定工程と、この時間間隔設定工程で設定した時間間隔で撮影され、上記媒体に記録された、時間的に連続した画像を比較し、その変化量を算出する変化量算出工程と、上記媒体の空き容量を算出する残量検出工程と、この残量検出工程で上記媒体が所定の空き容量となったことを検出すると、上記変化量算出工程で媒体に記録された一連の画像中から最も変化量の少ないものを選択し、削除する削除制御工程とを有したことを特徴とする。
【００１４】
請求項９記載の発明は、画像を撮影して媒体に記録する撮影装置に内蔵されたコンピュータが実行するプログラムであって、時間的に連続して撮影する画像の変化量を設定する変化量設定ステップと、時間的に連続して撮影される画像を比較し、その変化量を算出する変化量算出ステップと、この変化量算出ステップで得た変化量と上記変化量設定ステップで設定した変化量との比較結果により撮影された画像の記録を制御する記録制御ステップとをコンピュータに実行させることを特徴とする。
【００１５】
請求項１０記載の発明は、画像を撮影して媒体に記録する撮影装置に内蔵されたコンピュータが実行するプログラムであって、時間的に連続して画像を撮影する時間間隔を設定する時間間隔設定ステップと、この時間間隔設定ステップで設定した時間間隔で撮影され、上記媒体に記録された、時間的に連続した画像を比較し、その変化量を算出する変化量算出ステップと、上記媒体の空き容量を算出する残量検出ステップと、この残量検出ステップで上記媒体が所定の空き容量となったことを検出すると、上記変化量算出ステップで媒体に記録された一連の画像中から最も変化量の少ないものを選択し、削除する削除制御ステップとをコンピュータに実行させることを特徴とする。
【発明の効果】
【００１６】
請求項１記載の発明によれば、時間ではなく被写体の変化の度合いを設定することで、その度合いに応じた間隔で連続した複数の画像を撮影するようにしたので、ユーザの意図に合わせて失敗することなく撮影することが可能となる。
【００１７】
請求項２記載の発明によれば、上記請求項１記載の発明の効果に加えて、時間的に連続して画像を撮影する最低時間間隔を併せて設定しておくことで、その間に装置の電源が無駄に消費してしまうのを防止し、容量が制限されている電源を効率的に使用することができる。
【００１８】
請求項３記載の発明によれば、所定の時間間隔で連続した複数の画像を撮影するインターバル撮影機能での撮影を実行した上で、画像を記録する媒体の空き容量に合わせて変化の度合いの小さい画像を自動的に削除するようにしたので、上記媒体の容量を充分有効に活用して被写体の変化を記録することができる。
【００１９】
請求項４記載の発明によれば、上記請求項３記載の発明の効果に加えて、ユーザの任意設定により撮影を終了させることができるので、電源や画像を記録する媒体等の無駄な消費を回避することができる。
【００２０】
請求項５記載の発明によれば、上記請求項４記載の発明の効果に加えて、設定した時間通りに撮影を終了し、装置を回収して撮影結果を確認することができる。
【００２１】
請求項６記載の発明によれば、上記請求項４記載の発明の効果に加えて、画像を記録する媒体の残り容量や最低限必要な画像の数等を勘案した上でインターバル撮影を実行させることができる。
【００２２】
請求項７記載の発明によれば、時間ではなく被写体の変化の度合いを設定することで、その度合いに応じた間隔で連続した複数の画像を撮影するようにしたので、ユーザの意図に合わせて失敗することなく撮影することが可能となる。
【００２３】
請求項８記載の発明によれば、所定の時間間隔で連続した複数の画像を撮影するインターバル撮影機能での撮影を実行した上で、画像を記録する媒体の空き容量に合わせて変化の度合いの小さい画像を自動的に削除するようにしたので、上記媒体の容量を充分有効に活用して被写体の変化を記録することができる。
【００２４】
請求項９記載の発明によれば、時間ではなく被写体の変化の度合いを設定することで、その度合いに応じた間隔で連続した複数の画像を撮影するようにしたので、ユーザの意図に合わせて失敗することなく撮影することが可能となる。
【００２５】
請求項１０記載の発明によれば、所定の時間間隔で連続した複数の画像を撮影するインターバル撮影機能での撮影を実行した上で、画像を記録する媒体の空き容量に合わせて変化の度合いの小さい画像を自動的に削除するようにしたので、上記媒体の容量を充分有効に活用して被写体の変化を記録することができる。
【発明を実施するための最良の形態】
【００２６】
（第１の実施の形態）  
以下本発明を変化量検出撮影機能を有するデジタルカメラに適用した場合の第１の実施の形態について図面を参照して説明する。
【００２７】
図１はその電子回路構成を示すものである。同図中、基本モードである撮影モードにおいては、モータ（Ｍ）１１の駆動により合焦位置や絞り位置が移動される、撮影レンズを構成するレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
【００２８】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ１９に出力される。
【００２９】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００３０】
制御部２２は、ＣＰＵと、後述する変化量検出撮影機能時の処理を含む該ＣＰＵで実行される動作プログラムを固定的に記憶したＲＯＭ、及びワークメモリとして使用されるＲＡＭ等により構成され、このデジタルカメラ全体の制御動作を司る。
【００３１】
しかして制御部２２は、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００３２】
デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００３３】
この表示部２６は、デジタルカメラの背面側に設けられ、撮影モード時にはモニタ表示部（電子ファインダ）として機能し、デジタルビデオエンコーダ２５からのビデオ信号に基づいた表示を行なうことで、その時点でＶＲＡＭコントローラ２３から取込んでいる画像情報に基づく画像をリアルタイムに表示することとなる。
【００３４】
このように表示部２６にその時点での画像がモニタ画像としてリアルタイムに表示されている、所謂スルー画像の表示状態で、静止画撮影を行ないたいタイミングでシャッタキーを操作すると、トリガ信号を発生する。
【００３５】
制御部２２は、このトリガ信号に応じてその時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する。
【００３６】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路２７に書込み、このＪＰＥＧ回路２７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００３７】
そして、得た符号データを１画像のデータファイルとして該ＪＰＥＧ回路２７から読出し、このデジタルカメラの記録媒体として着脱自在に装着される、フラッシュメモリを封入したメモリカード２８に書込む。
【００３８】
そして、１フレーム分の輝度及び色差信号の圧縮処理及びメモリカード２８への全圧縮データの書込み終了に伴なって、制御部２２はＣＣＤ１３からＤＲＡＭ２１への経路を再び起動する。
【００３９】
また、制御部２２には、キー入力部２９、音声処理部３０、及びストロボ駆動部３１が接続される。
【００４０】
キー入力部２９は、電源キー、シャッタキーや、モードスイッチ、メニューキー、十字キー及びセットキー等から構成され、それらのキー操作に伴なう信号は直接制御部２２へ送出される。
【００４１】
音声処理部３０は、ＰＣＭ音源等の音源回路を備え、音声の録音時にはマイクロホン部（ＭＩＣ）３２より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード２８へ送出する一方、音声の再生時にはメモリカード２８から送られてきた音声データファイルの圧縮を解いてアナログ化し、デジタルカメラの背面側に設けられるスピーカ部（ＳＰ）３３を駆動して、拡声放音させる。
【００４２】
ストロボ駆動部３１は、静止画像撮影時に図示しないストロボ用の大容量コンデンサを充電した上で、制御部２２からの制御に基づいてストロボ発光部３４を閃光駆動する。
【００４３】
しかるに、静止画像ではなく動画像の撮影時においては、シャッタキーが操作され続けている間、上述した静止画データをＪＰＥＧ回路２７でデータ圧縮した静止画データファイルのメモリカード２８への記録を時間的に連続して実行し、該シャッタキーの操作が終わるか、または所定の制限時間、例えば３０秒が経過した時点でそれら一連の静止画データファイルを一括してモーションＪＰＥＧのデータファイル（ＡＶＩファイル）として設定し直す。
【００４４】
また、基本モードである再生モード時には、制御部２２がメモリカード２８に記録されている画像データを選択的に読出し、ＪＰＥＧ回路２７で撮影モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容をＶＲＡＭコントローラ２３を介してＶＲＡＭ２４に記憶させ、このＶＲＡＭ２４より定期的に画像データを読出してビデオ信号を発生し、上記表示部２６で再生出力させる。
【００４５】
選択した画像データが静止画像ではなく動画像であった場合、選択した動画像ファイルを構成する個々の静止画データの再生を時間的に連続して実行し、すべての静止画データの再生を終了した時点で、次に再生の指示がなされるまで先頭に位置する静止画データのみを用いて再生表示する。
【００４６】
次に上記実施の形態の動作について説明する。  
なお、以下に示す処理は、基本的に制御部２２が予め固定記憶した動作プログラムに基づいて実行するもので、ここでは予めキー入力部２９のメニューキー、十字キー及びセットキーの操作により変化量撮影機能が設定されたものとする。
【００４７】
また、上記バッファメモリであるＤＲＡＭ２１は、スルー画像表示を行なうために常にＣＣＤ１３での撮影で得た画像データを保持しておくカレントエリアと、後述する変化量検出のために比較対象となる画像データを保持しておく比較エリアとを有しているものとする。
【００４８】
図２は、変化量検出撮影機能時の処理内容を示すもので、その当初には、撮影枚数と変化量の数値［％］とをユーザが任意に入力するとこれを受付ける（ステップＡ０１）。
【００４９】
ここで変化量は、その直前に撮影し、メモリカード２８に記録した画像に比して、新たに記録しようとする画像とを画素単位で比較し、画像全体でどの程度異なっているか否かを示すもので、被写体として例えば花の開花の様子や昆虫の羽化の様子等を撮影しようとする場合に、その被写体の変化の度合いに応じてユーザが任意に設定するものである。
【００５０】
しかして、上記撮影枚数と変化量の設定を終えると、次にはキー入力部２９のシャッタキーが操作されたか否かを繰返し判断することで、撮影の開始が指示されるのを待機する（ステップＡ０２）。
【００５１】
ここでユーザは、カメラを三脚等に固定して被写体に対する構図を決定した上でシャッタキーを操作するもので、カメラ側では該シャッタキーの操作を上記ステップＡ０２で判断すると、まず最初の１枚となる画像を撮影するべく撮影処理を実行する（ステップＡ０３）。
【００５２】
撮影により得た非圧縮の状態の画像データ（以下「ＲＡＷデータ」と称する）は、ＤＲＡＭ２１の上述したカレントエリアに保持された後、ＪＰＥＧ回路２７に読出されてＪＰＥＧの規格に基づいたデータ圧縮を受けた後にメモリカード２８に記録される一方で、同ＤＲＡＭ２１内のカレントエリアから比較エリアに移動されて上書きされる。
【００５３】
その後、引き続きＣＣＤ１３からの画像データを順次、例えば１５［フレーム／秒］のフレームレートで順次取込んでＤＲＡＭ２１のカレントエリアに保持すると共に、同ＤＲＡＭ２１の比較エリアに保持している、直前にメモリカード２８に記録した画像のＲＡＷデータと画素単位で比較し、その変化量を算出する（ステップＡ０４）。
【００５４】
次いで、２度目のシャッタキーの操作がなされていないことを確認した上で（ステップＡ０５）、上記ステップＡ０４で算出した変化量が設定値以上であるか否かを判断する（ステップＡ０６）、という処理を繰返し実行することにより、これらの状態となるのを待機する。
【００５５】
ここで、上記ステップＡ０５での２度目のシャッタキーの操作の有無は、ユーザが一連の変化量検出撮影を強制的に終了させるべく操作した場合にこれを判断するためのもので、シャッタキーが操作された場合には即時この図２の処理を終了し、その時点でメモリカード２８に記録されている一連の静止画データファイルを一括してモーションＪＰＥＧのデータファイル（ＡＶＩファイル）として設定し直す。
【００５６】
しかるに、ステップＡ０６で設定した変化量以上の変化量を検出したと判断した場合には、その時点で新たに画像を撮影するべく撮影処理を実行する（ステップＡ０７）。
【００５７】
撮影により得たＲＡＷデータは、ＤＲＡＭ２１の上述したカレントエリアに保持され、ＪＰＥＧ回路２７に読出されてＪＰＥＧの規格に基づいたデータ圧縮を受けた後にメモリカード２８に追加記録される一方で、同ＤＲＡＭ２１内のカレントエリアから比較エリアに移動されて上書きされる。
【００５８】
次いで、メモリカード２８に記録した画像データの数が上記ステップＡ０１で設定した撮影枚数となったか否かを判断し（ステップＡ０８）、設定した撮影枚数になっていなければ再び上記ステップＡ０４からの処理に戻って、次の撮影に備える。
【００５９】
こうしてステップＡ０４〜Ａ０８の処理を繰返し実行することにより、設定した変化量以上の画像が得られる毎にこれを撮影してメモリカード２８に記録する、という動作を設定した撮影枚数分だけ繰返す。
【００６０】
そして、メモリカード２８に記録した画像データの数が設定した撮影枚数となった時点でステップＡ０８によりこれを判断し、この図２の処理を終了して、その時点でメモリカード２８に記録されている一連の静止画データファイルを一括してモーションＪＰＥＧのデータファイル（ＡＶＩファイル）として設定し直す。
【００６１】
このように、時間ではなく被写体の変化の度合いを変化量として設定することで、その度合いに応じた間隔で連続した複数の画像を撮影するようになるので、ユーザの意図に合わせて、失敗することなく時間的に連続した画像を撮影することが可能となる。
【００６２】
なお、上記実施の形態では、その前に媒体であるメモリカード２８に記録した画像に比して設定値以上の変化量のある新たな画像を撮影してこれもメモリカード２８に記録した後、即時次の撮影に備えるような動作を行なうものとしたが、被写体によってはそんなに急激な変化を起こさないことも考えられるので、画像の撮影を実行してから次の撮影に備えるまでの間に最低時間間隔を併せて設定するものとしてもよく、その設定した時間間隔はカメラ内の少なくともＣＣＤ１３を含む撮影系の回路の動作を一時的に休止させるものとして電源供給を停止してもよい。
【００６３】
このように１回撮影を行なう毎に一部の回路の動作を設定時間だけ休止させることにより、不必要にカメラの電源である電池が無駄に消費してしまうのを防止し、容量が制限されている電池をより効率的に使用することができる。
【００６４】
（第２の実施の形態）  
以下本発明をインターバル撮影機能を有するデジタルカメラに適用した場合の第２の実施の形態について図面を参照して説明する。
【００６５】
しかるにその電子回路構成については上記図１に示したものと基本的に同様であるものとし、同一部分には同一符号を用いるものとして、その図示及び説明は省略する。
【００６６】
次に上記実施の形態の動作について説明する。  
なお、以下に示す処理は、基本的に制御部２２が予め固定記憶した動作プログラムに基づいて実行するもので、ここでは予めキー入力部２９のメニューキー、十字キー及びセットキーの操作によりインターバル撮影機能が設定されたものとする。
【００６７】
また、上記バッファメモリであるＤＲＡＭ２１は、スルー画像表示を行なうために常にＣＣＤ１３での撮影で得た画像データを保持しておくカレントエリアと、後述する新規撮影処理及び削除処理のために、比較対象となる画像データを保持しておく比較エリアとを有しているものとする。
【００６８】
加えて、画像データの記録媒体であるメモリカード２８には、記録している一連のインターバル撮影で得た個々の画像データファイルの「ファイル名」「撮影時刻」及びその直前に記録した画像ファイルと比較した「変化量（％）」が管理テーブルとして記録されているものとする。
【００６９】
図３は、インターバル撮影機能時の処理内容を示すもので、その当初には、インターバル時間とトータルの撮影時間とをユーザが任意に入力するとこれを受付ける（ステップＢ０１）。インターバル時間は、［秒］及び［分］を単位として設定するもので、ここでは例えば１０［分］と選択した場合についてを以下に説明する。
【００７０】
インターバル時間とトータル撮影時間の設定を終えると、次にはキー入力部２９のシャッタキーが操作されたか否かを繰返し判断することで、撮影の開始が指示されるのを待機する（ステップＢ０２）。
【００７１】
ここでユーザは、カメラを三脚等に固定して被写体に対する構図を決定した上でシャッタキーを操作するもので、カメラ側では該シャッタキーの操作を上記ステップＢ０２で判断すると、まず最初の１枚となる画像を撮影するべく撮影処理を実行する（ステップＢ０３）。
【００７２】
撮影により得た非圧縮の状態の画像データ（以下「ＲＡＷデータ」と称する）は、ＤＲＡＭ２１の上述したカレントエリアに保持された後、ＪＰＥＧ回路２７に読出されてＪＰＥＧの規格に基づいたデータ圧縮を受けた後にメモリカード２８に記録される一方で、ＤＲＡＭ２１内のカレントエリアから比較エリアに移動されて上書きされ、併せてメモリカード２８内の管理テーブルにその記録した画像データに関する各データを更新記録する。
【００７３】
図６（Ａ）は、この最初の１枚の画像データをメモリカード２８に記録した状態での管理テーブルの内容を例示するもので、「Ｃｉｍｇ０００１．ｊｐｇ」というファイル名のＪＰＥＧデータファイルのみがメモリカード２８に記録されていることを示す。
【００７４】
ここで「変化量」が空欄であるのは、最初の１枚の画像データであり、比較対象となる画像データがないためである。
【００７５】
その後、２度目のシャッタキーの操作がなされていないことを確認した上で（ステップＢ０４）、前回撮影を実行してから、設定したインターバル時間が経過したか否かを判断する（ステップＢ０５）、という処理を繰返し実行することにより、これらの状態となるのを待機する。
【００７６】
ここで、上記ステップＢ０４での２度目のシャッタキーの操作の有無は、ユーザが一連のインターバル撮影を強制的に終了させるべく操作した場合にこれを判断するためのもので、シャッタキーが操作された場合には即時この図３の処理を終了し、その時点でメモリカード２８に記録されている一連の静止画データファイルを一括してモーションＪＰＥＧのデータファイル（ＡＶＩファイル）として設定し直す。
【００７７】
しかるに、ステップＢ０５で設定したインターバル時間となったと判断すると、次いでメモリカード２８の残り容量をチェックし、新たな画像データの記録が充分できる程度の容量があるか否かを判断する（ステップＢ０６）。
【００７８】
ここで、充分な空き容量があると判断した場合、次いで設定したインターバル時間が経過したことによる新規の画像を撮影するべく撮影処理を実行する（ステップＢ０８）。  
図４は、この新規撮影処理の詳細な処理内容を示すサブルーチンであり、新たに撮影を実行し、得たＲＡＷデータをＤＲＡＭ２１のカレントエリアに保持し、ＪＰＥＧ回路２７に読出してＪＰＥＧの規格に基づいたデータ圧縮を施した後にメモリカード２８に追加記録させる（ステップＣ０１）。
【００７９】
次いで、メモリカード２８に既に記録されている直前の画像データ（ＪＰＥＧデータ）を読出し、ＪＰＥＧ回路２７でこれを伸長してＲＡＷデータとした後にＤＲＡＭ２１の比較エリアに保持させる（ステップＣ０２）。
【００８０】
そして、このＤＲＡＭ２１のカレントエリアに保持した今回の撮影により得たＲＡＷデータと、比較エリアに保持した直前の撮影により得たＲＡＷデータとを画素単位で比較し、変化量を求めてその数値をメモリカード２８の管理テーブルの今回の撮影により得た画像データに対応するものとして更新記録する（ステップＣ０３）。
【００８１】
図６（Ｂ）は、この２枚目の画像データを上記新規撮影処理により撮影し、メモリカード２８に記録した状態での管理テーブルの内容を例示するもので、新たに「Ｃｉｍｇ０００２．ｊｐｇ」というファイル名のＪＰＥＧデータファイルがメモリカード２８に追加記録され、且つその直前に記録された「Ｃｉｍｇ０００１．ｊｐｇ」というファイル名のＪＰＥＧデータファイルとの変化量が「１（％）」であることを示す。
【００８２】
こうして図４の新規撮影処理を終了すると、図３のメインルーチンに戻り、続いて今回の新規撮影処理で予め設定したトータル撮影時間を経過したか否かを判断し（ステップＢ０９）、まだ経過していないと判断すると、再び上記ステップＢ０４からの処理に戻る。
【００８３】
こうしてステップＢ０４〜Ｂ０６，Ｂ０８の処理を繰返し実行することにより、設定したインターバル時間にしたがって順次画像データをメモリカード２８に記録していくと共に、同メモリカード２８内の管理テーブルの内容も更新記録する。
【００８４】
図６（Ｃ）〜図６（Ｅ）は、こうして合計９枚の画像データがインターバル時間１０分毎にメモリカード２８に順次記録される過程で管理テーブルが更新記録されていく状態の一部を例示するものである。
【００８５】
このようにメモリカード２８に時間的に連続した９枚の画像データが記録され、さらに次のインターバル時間となったとステップＢ０５で判断し、続くステップＢ０６でメモリカード２８の空き容量が不足していると判断すると、そのままでは１０枚目の画像データを撮影してもメモリカード２８に記録する充分な容量がないため、ステップＢ０８の新規撮影処理に進む前に、それまでにメモリカード２８に記録した画像データの中から変化量の少ないもの及び変化量が極端に多いものを削除する削除処理を実行する（ステップＢ０７）。
【００８６】
なお、変化量の少ないものを削除するのは変化を撮影するという目的にそぐわないためであり、変化量が極端に多いものを削除するのは、レンズが覆い隠された状態など、何らかの異常な撮影条件の場合が考えられ、これも本来の目的の画像とは異なるものであるからである。
【００８７】
図５は、この削除処理の詳細な処理内容を示すサブルーチンであり、その当初には、まず管理テーブル中から最も変化量の少ないデータファイルを検索する（ステップＤ０１）。
【００８８】
上記図６（Ｅ）の管理テーブルにおいては、最も変化量の少ない画像データは「Ｃｉｍｇ０００２．ｊｐｇ」と「Ｃｉｍｇ０００９．ｊｐｇ」の２つであり、その変化量は共に「１（％）」であるが、このように最小の変化量の画像データが複数存在する場合には、その撮影時刻がより古い方を優先して選択するものとすると、「Ｃｉｍｇ０００２．ｊｐｇ」が選択されることとなる。
【００８９】
こうして変化量が最小である画像データを検索すると、次にその画像データをメモリカード２８から削除（消去）し、併せて管理テーブルからの対応する内容を削除する（ステップＤ０２）。  
図７（Ａ）はこうしてファイル名「Ｃｉｍｇ０００２．ｊｐｇ」のデータを削除した管理テーブルの内容を例示するものである。
【００９０】
削除を実行した後、メモリカード２８に既に記録されている削除した画像データの直前の「Ｃｉｍｇ０００１．ｊｐｇ」の画像データ（ＪＰＥＧデータ）を読出し、ＪＰＥＧ回路２７でこれを伸長してＲＡＷデータとした後にＤＲＡＭ２１の比較エリアに保持させる（ステップＤ０３）。
【００９１】
次いで、メモリカード２８に既に記録されている削除した画像データの直後の「Ｃｉｍｇ０００３．ｊｐｇ」の画像データ（ＪＰＥＧデータ）を読出し、ＪＰＥＧ回路２７でこれも伸長してＲＡＷデータとした後にＤＲＡＭ２１のカレントエリアに保持させる（ステップＤ０４）。
【００９２】
そして、このＤＲＡＭ２１のカレントエリアに保持した削除直後のＲＡＷデータと、比較エリアに保持した削除直前のＲＡＷデータとを画素単位で比較し、変化量を求めて、その数値をメモリカード２８の管理テーブルの上記削除した直後の画像データに対応するものとして更新記録する（ステップＤ０５）。
【００９３】
なお、上記図５は変化量が少ない例を示したが、変化量が極端に多いファイルを削除する際はステップＤ０１で変化量が極端に多いファイルを抽出するが、その際、各ファイルの変化量の相対比較ではなく、予め設定された一定量を超える変化量をもったファイルが（あれば）選択される。したがって、必ずしも削除対象とされるファイルが抽出されるとは限らない。
【００９４】
図７（Ｂ）はこうして更新記録した管理テーブルの内容を例示するもので、上記図７（Ａ）で示した変化量の最小となる画像データを削除した状態から、その削除した画像データの直前のものと直後のもの相互間の変化量を新たに算出して更新記録することにより、次に同様の削除処理を行なう場合にも正確な変化量の検索を行なうことができるようになるものである。
【００９５】
こうして図５の削除処理を終了すると、図３のメインルーチンに戻り、続いて充分な空き容量を設けたメモリカード２８に新たな撮影による画像データを記録するべくステップＢ０８に進み、新規撮影処理を実行する。
【００９６】
図７（Ｃ）は、この新規撮影処理により１０枚目の画像データがメモリカード２８に記録され、併せて管理テーブルの内容が更新記録されたことを示すもので、ファイル名「Ｃｉｍｇ００１０．ｊｐｇ」のデータが追加記録されていることがわかる。
【００９７】
その後、ステップＢ０９でまだトータル撮影時間が経過していないものと判断してステップＢ０４からの処理に戻り、続くインターバル時間が経過してステップＢ０５でこれを判断した後、続くステップＢ０６でまたもメモリカード２８の空き容量が不足していると判断すると、そのままでは１１枚目の画像データを撮影してもメモリカード２８に記録する充分な容量がないため、ステップＢ０８の新規撮影処理に進む前に、ステップＢ０７で上記と同様の削除処理を実行する。
【００９８】
図５の削除処理においては、ステップＤ０１で管理テーブル中から最も変化量の少ないデータファイルを検索する。
【００９９】
上記図７（Ｃ）の管理テーブルにおいては、最も変化量の少ない画像データは「Ｃｉｍｇ０００９．ｊｐｇ」と「Ｃｉｍｇ００１０．ｊｐｇ」の２つであり、その変化量は共に「１（％）」であるので、上記と同様の撮影時刻がより古い方を優先して選択するものとして、「Ｃｉｍｇ０００９．ｊｐｇ」を選択する。
【０１００】
変化量が最小である画像データを検索すると、次にその画像データをメモリカード２８から削除（消去）し、併せて管理テーブルからの対応する内容を削除する（ステップＤ０２）。  
図８（Ａ）はこうしてファイル名「Ｃｉｍｇ０００９．ｊｐｇ」のデータを削除した管理テーブルの内容を例示するものである。
【０１０１】
削除を実行した後、メモリカード２８に既に記録されている削除した画像データの直前の「Ｃｉｍｇ０００８．ｊｐｇ」の画像データ（ＪＰＥＧデータ）を読出し、ＪＰＥＧ回路２７でこれを伸長してＲＡＷデータとした後にＤＲＡＭ２１の比較エリアに保持させる（ステップＤ０３）。
【０１０２】
次いで、メモリカード２８に既に記録されている削除した画像データの直後の「Ｃｉｍｇ００１０．ｊｐｇ」の画像データ（ＪＰＥＧデータ）を読出し、ＪＰＥＧ回路２７でこれも伸長してＲＡＷデータとした後にＤＲＡＭ２１のカレントエリアに保持させる（ステップＤ０４）。
【０１０３】
そして、このＤＲＡＭ２１のカレントエリアに保持した削除直後のＲＡＷデータと、比較エリアに保持した削除直前のＲＡＷデータとを画素単位で比較し、変化量を求めて、その数値をメモリカード２８の管理テーブルの上記削除した直後の画像データに対応するものとして更新記録する（ステップＤ０５）。
【０１０４】
図８（Ｂ）はこうして更新記録した管理テーブルの内容を例示するもので、上記図８（Ａ）で示した変化量の最小となる画像データを削除した状態から、その削除した画像データの直前のものと直後のもの相互間の変化量を新たに算出して更新記録することにより、次に同様の削除処理を行なう場合にも正確な変化量の検索を行なうことができるようになるものである。
【０１０５】
こうして図５の削除処理を終了すると、図３のメインルーチンに戻り、続いて充分な空き容量を設けたメモリカード２８に新たな撮影による画像データを記録するべくステップＢ０８に進み、新規撮影処理を実行する。
【０１０６】
図８（Ｃ）は、この新規撮影処理により１１枚目の画像データがメモリカード２８に記録され、併せて管理テーブルの内容が更新記録されたことを示すもので、ファイル名「Ｃｉｍｇ００１１．ｊｐｇ」のデータが追加記録されていることがわかる。
【０１０７】
以上のように、メモリカード２８から再度の画像データの削除と新規撮影、記録が実行され、同時に管理テーブルの更新記録も実行される。
【０１０８】
このように、記録されている画像データでその直前の画像データとの変化量が最小となるもの、さらにそれが複数ある場合には撮影時刻のより古い方を検索し、メモリカード２８から削除して新規撮影を行なうという一連の動作を繰り返し実行していく。
【０１０９】
そして、上記ステップＢ０９ではじめに設定したトータル撮影時間が経過したと判断した時点で、この図３の処理を終了して、その時点でメモリカード２８に記録されている一連の静止画データファイルを一括してモーションＪＰＥＧのデータファイル（ＡＶＩファイル）として設定し直す。
【０１１０】
このように、ユーザが任意に設定したインターバル時間の間隔で連続した複数の画像を撮影するインターバル撮影機能での撮影を実行した上で、画像を記録する媒体であるメモリカード２８の空き容量に合わせて、最も変化の度合いの小さい画像を自動的に削除するようにしたので、メモリカード２８の容量を充分有効に活用して、設定したトータル撮影時間となるまで被写体の変化を確実に記録することができる。
【０１１１】
加えて、ユーザの任意設定により撮影を終了させるものとし、その要因をトータル撮影時間としたことにより、設定した時間一杯となるまで撮影を継続し、設定した時間となった時点で装置を回収して撮影結果を確認することができる。
【０１１２】
（第２の実施の形態の他の動作例）  
なお、上記第２の実施の形態では、インターバル撮影を終了させる要因をトータル撮影時間とする場合の処理内容について説明したが、インターバル撮影を終了させる要因としてはこれに限らず、他にも例えばトータル撮影枚数を設定することも考えられる。
【０１１３】
そのようにした場合のインターバル撮影機能の処理内容を本実施の形態の他の動作例として説明する。
【０１１４】
なお、以下に示す処理は、基本的に制御部２２が予め固定記憶した動作プログラムに基づいて実行するもので、ここでは予めキー入力部２９のメニューキー、十字キー及びセットキーの操作によりインターバル撮影機能が設定されたものとする。
【０１１５】
また、上記バッファメモリであるＤＲＡＭ２１は、スルー画像表示を行なうために常にＣＣＤ１３での撮影で得た画像データを保持しておくカレントエリアと、後述する新規撮影処理及び削除処理のために、比較対象となる画像データを保持しておく比較エリアとを有しているものとする。
【０１１６】
加えて、画像データの記録媒体であるメモリカード２８には、記録している一連のインターバル撮影で得た個々の画像データファイルの「ファイル名」「撮影時刻」及びその直前に記録した画像ファイルと比較した「変化量（％）」が管理テーブルとして記録されているものとする。
【０１１７】
図９は、インターバル撮影機能時の処理内容を示すもので、その当初には、インターバル時間とトータルの撮影枚数とをユーザが任意に入力するとこれを受付ける（ステップＥ０１）。インターバル時間は、［秒］及び［分］を単位として設定する。
【０１１８】
インターバル時間とトータル撮影枚数の設定を終えると、次にキー入力部２９のシャッタキーが操作されたか否かを繰返し判断することで、撮影の開始が指示されるのを待機する（ステップＥ０２）。
【０１１９】
ここでユーザは、カメラを三脚等に固定して被写体に対する構図を決定した上でシャッタキーを操作するもので、カメラ側では該シャッタキーの操作を上記ステップＥ０２で判断すると、まず最初の１枚となる画像を撮影するべく撮影処理を実行する（ステップＥ０３）。
【０１２０】
撮影により得た非圧縮の状態の画像データ（以下「ＲＡＷデータ」と称する）は、ＤＲＡＭ２１の上述したカレントエリアに保持された後、ＪＰＥＧ回路２７に読出されてＪＰＥＧの規格に基づいたデータ圧縮を受けた後にメモリカード２８に記録される一方で、ＤＲＡＭ２１内のカレントエリアから比較エリアに移動されて上書きされ、併せてメモリカード２８内の管理テーブルにその記録した画像データに関する各データを更新記録する。
【０１２１】
その後、２度目のシャッタキーの操作がなされていないことを確認した上で（ステップＥ０４）、前回撮影を実行してから、設定したインターバル時間が経過したか否かを判断する（ステップＥ０５）、という処理を繰返し実行することにより、これらの状態となるのを待機する。
【０１２２】
ここで、上記ステップＥ０４での２度目のシャッタキーの操作の有無は、ユーザが一連のインターバル撮影を強制的に終了させるべく操作した場合にこれを判断するためのもので、シャッタキーが操作された場合には即時この図９の処理を終了し、その時点でメモリカード２８に記録されている一連の静止画データファイルを一括してモーションＪＰＥＧのデータファイル（ＡＶＩファイル）として設定し直す。
【０１２３】
しかるに、ステップＥ０５で設定したインターバル時間となったと判断すると、次いでメモリカード２８の残り容量をチェックし、新たな画像データの記録が充分できる程度の容量があるか否かを判断する（ステップＥ０６）。
【０１２４】
ここで、充分な空き容量があると判断した場合、次いで設定したインターバル時間が経過したことによる新規の画像を撮影するべく撮影処理を実行する（ステップＥ０８）。  
この新規撮影処理の詳細な処理内容は上記図４で説明した通りであるので、ここではその説明を省略する。  
図４の新規撮影処理を終了すると、図９のメインルーチンに戻り、続いて今回の新規撮影処理で予め設定したトータル撮影枚数となったか否かを判断し（ステップＥ０９）、まだなっていないと判断すると、再び上記ステップＥ０４からの処理に戻る。
【０１２５】
こうしてステップＥ０４〜Ｂ０６，Ｂ０８の処理を繰返し実行することにより、設定したインターバル時間にしたがって順次画像データをメモリカード２８に記録していくと共に、同メモリカード２８内の管理テーブルの内容も更新記録する。
【０１２６】
メモリカード２８に時間的に連続した画像データが順次記録され、さらに次のインターバル時間となったとステップＥ０５で判断し、続くステップＥ０６でメモリカード２８の空き容量が不足していると判断すると、そのままでは次の画像データを撮影してもメモリカード２８に記録する充分な容量がないため、ステップＥ０８の新規撮影処理に進む前に、それまでにメモリカード２８に記録した画像データの中から変化量の少ないもの及び変化量が極端に多いものを削除する削除処理を実行する（ステップＥ０７）。
【０１２７】
この削除処理の詳細な処理内容は上記図５で説明した通りであるので、ここではその説明を省略する。  
図５の削除処理を終了すると、図９のメインルーチンに戻り、続いて充分な空き容量を設けたメモリカード２８に新たな撮影による画像データを記録するべくステップＥ０８に進み、新規撮影処理を実行する。
【０１２８】
その後、ステップＥ０９でまだトータル撮影枚数となっていないものと判断してステップＥ０４からの処理に戻り、続くインターバル時間が経過してステップＥ０５でこれを判断した後、続くステップＥ０６でまたもメモリカード２８の空き容量が不足していると判断すると、そのままでは次の画像データを撮影してもメモリカード２８に記録する充分な容量がないため、ステップＥ０８の新規撮影処理に進む前に、ステップＥ０７で上記と同様の削除処理を実行する。
【０１２９】
図５の削除処理を終了して図９のメインルーチンに戻り、続いて充分な空き容量を設けたメモリカード２８に新たな撮影による画像データを記録するべくステップＥ０８に進み、新規撮影処理を実行する。
【０１３０】
以上のように、メモリカード２８から再度の画像データの削除と新規撮影、記録が実行され、同時に管理テーブルの更新記録も実行される。
【０１３１】
このように、記録されている画像データでその直前の画像データとの変化量が最小となるもの、さらにそれが複数ある場合には撮影時刻のより古い方を検索し、メモリカード２８から削除して新規撮影を行なうという一連の動作を繰り返し実行していく。
【０１３２】
そして、上記ステップＥ０９ではじめに設定したトータル撮影枚数となったと判断した時点で、この図９の処理を終了して、その時点でメモリカード２８に記録されている一連の静止画データファイルを一括してモーションＪＰＥＧのデータファイル（ＡＶＩファイル）として設定し直す。
【０１３３】
このように、ユーザが任意に設定したトータルの撮影枚数に達した時点で撮影を終了させるものとしたことにより、画像を記録するメモリカード２８の残り容量や最低限必要な画像の数等を勘案した上でインターバル撮影を実行させることができる。
【０１３４】
なお、上記第１及び第２の実施の形態は、いずれも本発明をデジタルカメラに適用した場合について説明したものであるが、本発明はこれに限らず、ビデオムービーカメラやカメラ機能を有するパーソナルコンピュータ、あるいは視覚センサとしてのカメラを備えた電子ペットロボット等にも容易に適用可能となる。
【０１３５】
その他、本発明は上記実施の形態に限らず、その要旨を逸脱しない範囲内で種々変形して実施することが可能であるものとする。
【０１３６】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１３７】
【図１】本発明の第１の実施の形態に係るデジタルカメラの機能回路構成を示すブロック図。
【図２】同実施の形態に係る変化量検出撮影の処理内容を示すフローチャート。
【図３】本発明の第２の実施の形態に係るインターバル撮影のメイン処理の内容を示すフローチャート。
【図４】同実施の形態に係る図３の新規撮影処理のサブルーチンの内容を示すフローチャート。
【図５】同実施の形態に係る図３の削除処理のサブルーチンの内容を示すフローチャート。
【図６】同実施の形態に係るメモリカードに画像データと共に記録される管理テーブルの変化を例示する図。
【図７】同実施の形態に係るメモリカードに画像データと共に記録される管理テーブルの変化を例示する図。
【図８】同実施の形態に係るメモリカードに画像データと共に記録される管理テーブルの変化を例示する図。
【図９】同実施の形態に係るインターバル撮影の他の動作例となるメイン処理の内容を示すフローチャート。
【符号の説明】
【０１３８】
１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…ＶＲＡＭコントローラ、２４…ＶＲＡＭ、２５…デジタルビデオエンコーダ、２６…表示部、２７…ＪＰＥＧ回路、２８…メモリカード、２９…キー入力部、３０…音声処理部、３１…ストロボ駆動部、３２…マイクロホン部（ＭＩＣ）、３３…スピーカ部（ＳＰ）、３４…ストロボ発光部。
【図１】
2005303807.tif 000003
【図２】
2005303807.tif 000004
【図３】
2005303807.tif 000005
【図４】
2005303807.tif 000006
【図５】
2005303807.tif 000007
【図６】
2005303807.tif 000008
【図７】
2005303807.tif 000009
【図８】
2005303807.tif 000010
【図９】
2005303807.tif 000011